(57)【要約】本発明は、放射線ビームにより情報レイヤを照射することで、記録キャリア６０の情報レイヤ６０１にマークを記録する記録装置及び対応する記録方法に関する。情報レイヤは、第一の相と第二の相との間で可逆的に変化可能な相を有する。１以上の書き込みパルスの系列によりマークが書き込まれる。Ｔを基準クロックの長さとして、長さＮＴのマークを書き込むための系列の書き込みパルスの数は、予め決定されたライトストラテジの利用により決定される。高速ＤＶＤ＋ＲＷ規格とＤＶＤ−ＲＷ規格の公知のライトストラテジの利点を組み合わせるため、記録装置は、放射線ビーム６２を供給する放射線源６１、書き込まれるマークを表すデータパルスに従って前記放射線ビームのパワーを制御し、マークを記録するために前記書き込みパルスの系列を供給する制御ユニット６５とを有する。制御ユニットは、最も短い許容されるマークを表すデータパルスの最後のチャネルビットの立ち下がりエッジに関する、長さＮＴ（Ｎは奇数）のマークを書き込むための系列の最後のパルスの立ち下がり時間ｄＴmplp,o、データパルスの最後のチャネルビットの立ち下がりエッジに関する、長さＮＴ（Ｎは偶数）のマークを書き込むための系列の最後のパルスの立ち下がり時間ｄＴmplp,e、データパルスの最後のチャネルビットの立ち上がりエッジに関する、長さＮＴ（Ｎは偶数）のマークを書き込むための系列の最後のパルスの立ち上がり時間ｄＴlp,e、からなるパラメータを設定するために作用する。
2009514131.tif 000002
【特許請求の範囲】
【請求項１】
放射線ビームにより情報レイヤを照射することで、記録キャリアの情報レイヤにマークを記録する記録装置であって、
前記情報レイヤは、第一の相と第二の相との間で可逆的に変化可能な相を有し、１以上の書き込みパルスの系列によりマークが書き込まれ、Ｔを基準クロックの長さとして、長さＮＴのマークを書き込むための前記系列の書き込みパルスの数は、予め決定されたライトストラテジの利用により決定され、
前記放射線ビームを供給する放射線源と、
書き込まれるマークを表すデータパルスに従って前記放射線ビームのパワーを制御し、マークを記録するために前記書き込みパルスの系列を供給する制御ユニットとを有し、
前記制御ユニットは、
最も短い許容されるマークを表すデータパルスの最後のチャネルビットの立ち下がりエッジに関する、長さＮＴ（Ｎは奇数）のマークを書き込むための系列の最後のパルスの立ち下がり時間ｄＴmplp,o、
データパルスの最後のチャネルビットの立ち下がりエッジに関する、長さＮＴ（Ｎは偶数）のマークを書き込むための系列の最後のパルスの立ち下がり時間ｄＴmplp,e、
データパルスの最後のチャネルビットの立ち上がりエッジに関する、長さＮＴ（Ｎは偶数）のマークを書き込むための系列の最後のパルスの立ち上がり時間ｄＴlp,e、
からなるパラメータを設定するために作用する、
ことを特徴とする記録装置。
【請求項２】
前記制御ユニットは、
系列の最初のパルスのパルス持続期間Ｔtop、
系列の第二及び第三以上のパルスのパルス持続期間Ｔmp、
最も短いマークを書き込むための系列の最初のパルスのパルス持続期間Ｔ3、
最も短い許容されるマークを表すデータパルスの最初のチャネルビットの立ち下がりエッジに関する、系列の最初のパルスの立ち上がり時間ｄＴ3、
第二の最も短い許容されるマークを表すデータパルスの最初のチャネルビットの立ち下がりエッジに関する、系列の最初のパルスの立ち上がり時間ｄＴ4、
第三の最も短い許容されるマークを表すデータパルスの最初のチャネルビットの立ち下がりエッジに関する、系列の最初のパルスの立ち上がり時間ｄＴ5、
最も短い許容されるマークを表すデータパルスの最後のチャネルビットの立ち上がりエッジに関する、長さＮＴ（Ｎは奇数）のマークを書き込むための系列の最後のパルスの立ち上がり時間ｄＴlp,o、
データパルスの最後のチャネルビットの立ち下がりエッジに関する、長さＮＴ（Ｎは偶数）のマークを書き込むための系列に後続する消去パルスの消去立ち上がり時間ｄＴera,e、
データパルスの最後のチャネルビットの立ち下がりエッジに関する、長さＮＴ（Ｎは奇数）のマークを書き込むための系列に後続する消去パルスの消去立ち上がり時間ｄＴera,o、
データパルスの最後のチャネルビットの立ち下がりエッジに関する、最も短い許容されるマークを書き込むための系列に後続する消去パルスの消去立ち上がり時間ｄＴera,3、
データパルスの最初のチャネルビットの立ち下がりエッジに関する、系列の最初のパルスの立ち上がり時間ｄＴtop、
からなるパラメータのうちの１以上を設定するために更に作用する、
請求項１記載の記録装置。
【請求項３】
前記Ｎは、３から１１の範囲における整数である、
請求項１記載の記録装置。
【請求項４】
前記制御ユニットは、２Ｔライトストラテジに従ってマークを記録するために調整され、
前記Ｎが４，６，８又は１０に等しい整数値を表し、ＮＴの時間長を有する偶数マークは、Ｎ／２書き込みパルスの系列により書き込まれ、
前記Ｎが５，７，９又は１１に等しい整数値を表し、ＮＴの時間長を有する奇数マークは、（Ｎ−１）／２の書き込みパルスの系列により書き込まれ、
３Ｔの時間長を有するマークは、１つの書き込みパルスにより書き込まれる、
請求項３記載の記録装置。
【請求項５】
前記記録キャリアから前記パラメータについて設定される値を読取る読取ユニットを更に有する、
請求項１記載の記録装置。
【請求項６】
異なるタイプの記録キャリアの前記パラメータについて設定される値を記憶するストレージメモリと、
データが記録される記録キャリアのタイプを識別する識別ユニットと、
前記ストレージメモリから前記パラメータについて設定される値を読取る読取ユニットと、
を更に有する請求項１記載の記録装置。
【請求項７】
前記制御ユニットは、前記パラメータを使用しない別のライトストラテジが利用される場合、又は、前記パラメータが設定することができる値が得られない場合、１以上の前記パラメータをゼロに設定するために調節される、
請求項１記載の記録装置。
【請求項８】
放射線ビームにより情報レイヤを照射することで、記録キャリアの情報レイヤにマークを記録する記録方法であって、
前記情報レイヤは、第一の相と第二の相との間で可逆的に変化可能な相を有し、１以上の書き込みパルスの系列によりマークが書き込まれ、Ｔを基準クロックの長さとして、長さＮＴのマークを書き込むための前記系列の書き込みパルスの数は、予め決定されたライトストラテジの利用により決定され、
当該方法は、
前記放射線ビームを供給するステップと、
書き込まれるマークを表すデータパルスに従って前記放射線ビームのパワーを制御し、マークを記録するために前記書き込みパルスの系列を供給するステップとを含み、
最も短い許容されるマークを表すデータパルスの最後のチャネルビットの立ち下がりエッジに関する、長さＮＴ（Ｎは奇数）のマークを書き込むための系列の最後のパルスの立ち下がり時間ｄＴmplp,o、
データパルスの最後のチャネルビットの立ち下がりエッジに関する、長さＮＴ（Ｎは偶数）のマークを書き込むための系列の最後のパルスの立ち下がり時間ｄＴmplp,e、
データパルスの最後のチャネルビットの立ち上がりエッジに関する、長さＮＴ（Ｎは偶数）のマークを書き込むための系列の最後のパルスの立ち上がり時間ｄＴlp,e、
からなるパラメータが設定される、
ことを特徴とする記録方法。
【請求項９】
コンピュータプログラムがコンピュータで実行されたときに、前記コンピュータに請求項８記載の方法の制御ステップを実行させるプログラムコードを含む、
ことを特徴とするコンピュータプログラム。
【発明の詳細な説明】
【技術分野】
【０００１】
本発明は、放射線ビームにより情報レイヤを照射することで記録キャリアの情報レイヤにマークを記録する記録装置及び対応する記録方法に関するものであり、前記情報レイヤは、第一の相と第二の相との間で可逆的に変化可能な相を有しており、１以上の書き込みパルスの系列によりマークが書き込まれ、長さＮＴのマークを書き込むための前記系列の書き込みパルスの数は、Ｔを基準クロックの長さとして、予め決定されたライトストラテジ（write  strategy）の利用により決定される。
【０００２】
さらに、本発明は、コンピュータで前記記録方法の制御ステップを実現するコンピュータプログラムに関する。
【背景技術】
【０００３】
第一の相（たとえば結晶相）と第二の相（たとえば非晶質相）との間で可逆的に変化可能な相を有する情報レイヤは、相変化型レイヤとして一般に知られている。かかる相変化型レイヤは、たとえばＢＤ−ＲＥ，ＣＤ−ＲＷ，ＤＶＤ−ＲＷ，ＤＶＤ＋ＲＷ及びＤＶＤ−ＲＡＭディスクのような書き換え可能なタイプの光記録キャリアで適用される。光信号の記録動作は、放射線ビームの照射条件を変えて、これにより相変化型レイヤにおける信号を記録することで、そのレイヤにおける記録材料が非晶質相と結晶質相との間で可逆的に相において変化されるようなやり方で実行され、記録された信号の再生動作は、相変化型レイヤの非晶質相と結晶質相との間で光学特性における違いを検出し、これにより信号を再生することで実行される。かかる相変化型レイヤにより、書き込みパワーレベル、消去パワーレベル及びバイアスパワーレベルの間で放射線ビームのパワーを調整することで、情報を記録し、消去することができる。
【０００４】
記録速度は、光記録における主要な性能のファクタである。ＣＤ−ＲＷについて、ベーシックの規格は、速度レンジ１ｘ−４ｘについて定義されており、高速のＣＤ−ＲＷ規格は、４ｘ−１０ｘのレンジを有する。２００２年９月には、２４ｘまでの速度についてＣＤ−ＲＷを定義し、３２ｘ及びこれを超える速度についての予約をも含めて、最新の超高速ＣＤ−ＲＷ規格のバージョン１．０がリリースされている（Recordable  Compact  Disc  Systems,  Part  III:  CD-RW,  Volume3:  Ultra-Speed,  Version  1.0,  September  2002）。これらの記録速度を達成するため、超高速ＣＤ−ＲＷ規格で定義される、いわゆる２Ｔライトストラテジが使用される必要がある。そこでは、基本的に、リファレンスクロックＴの２クロック周期毎に１つの書き込みパルスが使用される。このことは、十分な冷却時間を得るために、これにより、特に高速な相変化材料で問題となる再結晶化を回避するために行われる。この２Ｔライトストラテジの結果、連続する偶数マークと奇数マークは、たとえば６Ｔ及び７Ｔマークについて３パルスといった、同じ数の書き込みパルスで書き込まれる。
【０００５】
２Ｔライトストラテジを使用した、光記録キャリアの情報レイヤにマークを記録する方法及び記録装置は、欧州特許出願02080394.6（PHNL021391EPP）に記載されている。記載される方法及び記録装置は、記録されるべき記録キャリアについて特に調整される書き込みパラメータの設定が２Ｔライトストラテジにおける使用のために利用可能ではないとき、又は、記録キャリアを識別することができないとき、情報レイヤにマークをどのように記録すべきかに関する問題を解決する。したがって、２Ｔライトストラテジの書き込みパラメータの好適な設定が提案される。
【０００６】
２Ｔライトストラテジの本質的なポイントは、偶数マークと奇数マークとの間の差を定義する書き込みパラメータの選択である。偶数マークは、マルチパルスレングスＴmpとクーリングギャップＴCをもつパルス系列により直接的なやり方で定義される。奇数マークについて（偶数マーク＋１）のレングスを形成するため、パルス系列は、１つであるが最後のギャップΔlgの延長、最後のパルスΔlp及び最後のクーリングギャップΔ2といった、３つのポジションで変更され、超高速ＣＤ−ＲＷ規格に従ってΔlg＝Δlp＝Δ1である。さらに、最短のマークのレングスＩ3は、パルスレングスＴ3、ギャップレングスＴC3及び立ち上がりエッジｄＴ3のシフトといった３つの特別なパラメータにより定義される。
【０００７】
新たな高速ＤＶＤ＋ＲＷディスク（３．３ｘ〜８ｘ）は、２Ｔライトストラテジを使用しており、２００４年１２月“High  speed  DVD  +  ReWriteble  part  1  Single  layer,  volume  2:8x,  volume2”に記載される。新たな高速ＤＶＤ−ＲＷディスク（３．３ｘ〜６ｘ）について、２Ｔライトストラテジが使用され、２００４年９月“DVD  specification  for  Re-recordable  disc  (DVD-RW)  Part1,  optional  specification  6x  speed  DVD-RW  revision  3.0”に記載される。
【発明の開示】
【発明が解決しようとする課題】
【０００８】
新たな高速ＤＶＤ＋ＲＷ（最大８ｘ）ディスク及びＤＶＤ−ＲＷ（最大６ｘ）ディスクのために調節するライトストラテジが非常に重要である。これらのディスクを、ジッタ及びＢｌｅｒ（bit  length  error  rate）について、特に高いＤＯＷ（direct  overwrite）サイクル及びアーカイバルオーバライト（暫くの後に古いデータを上書きすること）について、その最適値に調節することは困難である。また、このチューニングは、速度に依存するものであり、この場合、ライトストラテジを最適化／調節するために最も困難な速度は６ｘである。先の標準的なライトストラテジを使用して得られる一般的なパフォーマンス（すなわちＤＶＤ＋ＲＷ及びＤＶＤ−ＲＷストラテジのそれぞれについて）は低い。
【０００９】
本発明の目的は、ドライブのよりシンプルなチューニングを可能にし、ディスクへの改善された書き込み性能をもたらす記録装置及び対応する記録方法を提供することにある。
【課題を解決するための手段】
【００１０】
上記目的は、請求項１記載の記録装置により本発明に従って達成され、当該装置は、放射線ビームを供給する放射線源、及び、書き込まれるべきマークを表すデータパルスに従って放射線ビームのパワーを制御して、マークを記録するための書き込みパルスの系列を供給する制御ユニットであって、以下のパラメータを設定するために作用する制御ユニットを有する。
【００１１】
最も短い許容されるマークを表すデータパルスの最後のチャネルビットの立ち下がりエッジに関する、長さＮＴ（Ｎは奇数）のマークを書き込むための系列の最後のパルスの立ち上がり時間（ｄＴmplp,o）。  
データパルスの最後のチャネルビットの立ち下がりエッジに関する、長さＮＴ（Ｎは偶数）のマークを書き込むための系列の最後のパルスの立ち下がり時間（ｄＴmplp,e）。  
データパルスの最後のチャネルビットの立ち上がりエッジに関する、長さＮＴ（Ｎは偶数）のマークを書き込むための系列の最後のパルスの立ち上がり時間（ｄＴlp,e）。
【００１２】
対応する記録方法は、請求項８に定義される。前記方法の制御ステップを実現するコンピュータプログラムは、請求項９に定義される。本発明の好適な実施の形態は、従属の請求項で定義される。
【００１３】
本発明は、ライトストラテジ、又はより詳細には、放射線ビームのパワーが制御される制御信号を調節するための全てのパラメータを使用することができるように制御ユニットを調整することで、公知の標準的なストラテジの利点を組み合わせた新たなライトストラテジを定義する考えに基づいている。したがって、この新たなライトストラテジの主要な利点は、公知のストラテジと比較して、３つの余分のチューニングパラメータを使用することができる点にある。特に、この新たなライトストラテジにより、３．３ｘの１Ｔライトストラテジの代わりに、改善された２Ｔライトストラテジに基づいて、６ｘで、３．３ｘでもＤＶＤ−ＲＷディスクに記録することができる。このことは、２以上の異なるライトストラテジを記憶する必要がないが、異なるタイプの記録キャリアで使用されるシングルライトストラテジを記憶する記録装置（たとえばＤＶＤレコーダ）のファームウェア及びパフォーマンスについて主要な利点を有する。
【００１４】
本発明は、パルスの開始時間を調節することができない、ＤＶＤ−ＲＷ規格に従うライトストラテジの問題点を回避するものである。さらに、データパルスの最後のチャネルビットの立ち上がりエッジに関する、マーク（偶数及び奇数マーク）を書き込むための系列の最後のパルスの立ち下がり時間、及び、データパルスの最後のチャネルビットの立ち上がりエッジに関する、長さＮ（Ｎは偶数）のマークを書き込むための系列に最後のパルスの立ち上がり時間を調節することができないという、ＤＶＤ＋ＲＷ規格に従うライトストラテジの問題点を回避することができる。
【００１５】
請求項２の実施の形態で定義される新たなライトストラテジは、２Ｔ高速ＤＶＤ＋ＲＷ及びＤＶＤ−ＲＷストラテジの定義の利点を組み合わせる。したがって、高速ＤＶＤ＋ＲＷ（３．３ｘ〜８ｘ）について３つの余分なチューニングパラメータを使用し、高速ＤＶＤ−ＲＷ（３．３ｘ〜６ｘ）について４つの余分なチューニングパラメータを使用することができる。また、新たなライトストラテジは、後方互換があり、これは、必要とされない余分のパラメータをシンプルにゼロに設定することで、ＤＶＤレコーダにおけるファームウェアにより、高速ＤＶＤ−ＲＷ及び高速ＤＶＤ＋ＲＷの標準の定義を使用することができることを意味する。
【００１６】
好適な実施の形態では、Ｎは３〜１１の範囲における整数値を表し、すなわち、許容されるマークの長さは、３Ｔ〜１１Ｔまでの範囲に及ぶ。さらに、実施の形態では、制御ユニットは、２Ｔライトストラテジに従ってマークを記録するために調整されることが好ましく、Ｎが４，６，８又は１０に等しい整数値を表す、ＮＴの時間長を有する偶数マークは、Ｎ／２書き込みパルスの系列により書き込まれる。Ｎが５，７，９又は１１に等しい整数値を表す、ＮＴの時間長を有する奇数マークは、（Ｎ−１）／２の書き込みパルスの系列により書き込まれる。３Ｔの時間長を有するマークは、１つの書き込みパルスにより書き込まれる。かかる２Ｔライトストラテジは、一般に知られており、たとえば上述された特許出願において記載される。
【００１７】
更なる実施の形態においてライトストラテジを調節するために制御ユニットにより使用されるパラメータの値を得るため、読取ユニットは、前記記録キャリアからの前記パラメータについて設定されるべき読取値を供給する。しかし、この値は、たとえば別の実施の形態で提案されるように、異なるタイプの記録キャリアの前記パラメータについて設定されるべき値を記憶するためのストレージメモリからといった、別の位置から読み出すこともできる。この実施の形態では、データが記録される記録キャリアのタイプを識別する識別ユニット、及び前記ストレージメモリから前記パラメータについて設定されるべき値を読取る読取ユニットが更に設けられる。
【００１８】
本発明に係る方法及び装置は、後方互換性がある。たとえば、ＤＶＤでの使用のため、それぞれの規格により使用されない余分のパラメータをゼロにシンプルに設定することで、ＤＶＤレコーダにおけるファームウェアにより、高速ＤＶＤ−ＲＷ及び高速ＤＶＤ＋ＲＷの標準の定義を使用することができる。したがって、好適な実施の形態では、制御手段は、前記パラメータを使用しない別のライトストラテジが利用される場合、又は、前記パラメータが設定されない値が得られない場合、１以上の前記パラメータをゼロに設定するために調節される。
【発明を実施するための最良の形態】
【００１９】
以下、本発明は、添付図面を参照して更に詳細に説明される。  
図１は、２００４年９月“DVD  specification  for  Re-recordable  disc  (DVD-RW)  Part  1,  optional  specification  6x  speed  DVD-RW  revision  3.0”で記載される高速ＤＶＤ−ＲＷディスクのライトストラテジの定義を説明する。
【００２０】
図１ａは、時間の関数としてデジタルデータ信号１００を示す。このデジタルデータ信号１００の値は、記録キャリアの情報レイヤに記録されるべきマークの長さを表す。垂直の点線は、データ信号１００に属する基準クロック信号における遷移を示す。この基準クロックの１周期は、チャネルビット周期とも呼ばれ、Ｔで示される。デジタルデータ信号１００は、３Ｔ〜１１Ｔの範囲で記録されるべきマークを表し、すなわち、基準クロックの３〜１１周期の記録速度倍の期間に実質的に等しい長さを有するマークを表す。
【００２１】
図１ｂは、３Ｔマークを記録するための制御信号２００を概念的に示す。図１ｃは、偶数マーク、すなわち４Ｔ，６Ｔ，８Ｔ及び１０Ｔマークを記録するための対応する制御信号２０１を概念的に示し、図１ｄは、奇数マーク、すなわち５Ｔ，７Ｔ，９Ｔ及び１１Ｔマークを記録するための対応する制御信号２０２を概念的に示す。
【００２２】
制御信号は、放射線ビームのパワーを制御するために使用され、この場合、放射線ビームのパワーは、制御信号の対応するレベルに比例するものとする。複数のパルスの間において、書き込みパワーレベルＰOを有するパルス（一般にＰwとも呼ばれる）、バイアスパワーレベルＰbを有するパルス（一般にＰcとも呼ばれる）を有するパルス系列によりマークが記録される。記録されているマーク間の予め記録されたマークは、消去パワーレベルＰeを印加することで消去される。
【００２３】
図１ｂは、３Ｔマークを記録するための制御信号２００を示す。３Ｔマークは、単一パルスにより書き込まれ、このパルスの開始は、偶数又は奇数マークを書き込むために書き込みパルスの開始に関してｄＴ3の期間（この場合ｄＴ3は負）だけ遅延され、このパルスは、偶数マークを書き込むための書き込みパルスよりも長いΔ3−ｄＴ3の期間である。さらに、制御信号２００について、パラメータΘ3は、公称のマークの長さに関して消去パルスレベルＰeの開始として定義され、すなわち、３Ｔマークについて、消去パワーレベルＰeは、３Ｔマークの開始の後に、（３−Θ3）Ｔで開始する。
【００２４】
２Ｔライトストラテジが使用されるため、ｎＴの時間長を有する偶数マークは、ｎ／２パルスの系列により記録され、ｎＴの時間長を有する奇数マークは、（ｎ−１）／２パルスの系列により記録される。これにより、図１ｃ及び図１ｄにおける破線により示されるように、２つのパルスの系列により記録される４Ｔの偶数マークと５Ｔの奇数マークが得られ、６Ｔの偶数マークと７Ｔの奇数マークは、３つのパルスの系列により記録され、８Ｔの偶数マークと９Ｔの奇数マークは、４つのパルスの系列により記録され、１０Ｔの偶数マークと１１Ｔの奇数マークは、５つのパルスの系列により記録される。多数の更なるパラメータは、高速ＤＶＤ−ＲＷ規格に従って定義される。
【００２５】
系列の第二及び高次のパルスのパルス持続期間Ｔmp（マークのマルチパルス持続期間≧４Ｔとも呼ばれる）。  
最も短い許容されるマークを表すデータパルスの最後のチャネルビットの立ち下がりエッジに関する、長さＮＴ（Ｎは奇数）のマークを書き込むための系列の最後のパルスの立ち下がり時間ｅＴdlp2（奇数マークの最終パルスの遅延時間とも呼ばれる）。  
データパルスの最後のチャネルビットの立ち下がりエッジに関する、長さＮＴ（Ｎは偶数）のマークを書き込むための系列の最後のパルスの立ち下がり時間ｏＴdlp2（偶数マークの最終パルスの遅延時間とも呼ばれる）。  
最も短いマークを書き込むための系列の最初のパルスのパルス持続期間Ｔ3。  
最も短い許容されるマークを表すデータパルスの第一のチャネルビットの立ち下がりエッジに関する、系列の最初のパルスの立ち上がり時間ｄＴ3（３Ｔマークのパルス立ち上がり／遅延時間とも呼ばれる）。  
最も短い許容されるマークを表すデータパルスの最後のチャネルビットの立ち上がりエッジに関する、長さＮＴ（Ｎは奇数）のマークを書き込むための系列の最後のパルスの立ち上がり時間ｏＴdTlp1（奇数マークの最終パルスの立ち上がり／遅延時間とも呼ばれる）。  
最も短い許容される許容されるマークを表すデータパルスの最後のチャネルビットの立ち上がりエッジに関する、長さＮＴ（Ｎは偶数）のマークを書き込むための系列の最後のパルスの立ち上がり時間ｅＴdTlp1（偶数マークの最終パルスの立ち上がり／遅延時間と呼ばれる）。  
データパルスの最後のチャネルビットの立ち下がりエッジに関する、長さＮＴ（Ｎは偶数）のマークを書き込むための系列に後続する消去パルスの消去立ち上がり時間ｅＴcl（偶数マークの消去パルスの立ち上がり／遅延時間）。  
データパルスの最後のチャネルビットの立ち下がりエッジに関する、長さＮＴ（Ｎは奇数）のマークを書き込むための系列に後続する消去パルスの消去立ち上がり時間ｏＴcl（奇数マークの消去パルスの立ち上がり／遅延時間）。  
データパルスの最後のチャネルビットの立ち下がりエッジに関する、最も短い許容されるマークを書き込むための系列に後続する消去パルスの消去立ち上がり時間３Ｔcl（３Ｔマークの消去パルスの立ち上がり／遅延時間）。
【００２６】
図２は、２００４年１２月“High  speed  DVD+ReWritable  part  1  Single  layer,  volume  2:8x,  volume2”で記載される高速ＤＶＤ＋ＲＷディスクのライトストラテジの定義を例示する。図１におけるのと同様に、デジタルデータ信号１００は、図２ａに示されており、図２ｂ〜図２ｈは、３Ｔ，４Ｔ，５Ｔ，６Ｔ，７Ｔ，１０Ｔ及び１１Ｔのマークを記録するための制御信号３００〜３０６を概念的に示す。８Ｔ及び９Ｔマークを記録するため、制御信号３０３及び３０４と同様であるが、４つのパルスをもつ制御信号が使用される。以下のパラメータは、高速ＤＶＤ＋ＲＷ規格に従って定義される。
【００２７】
系列の最初のパルスのパルス持続期間Ｔtop（マークの最初のパルス期間≧４Ｔとも呼ばれる）。  
系列の第二及び高次のパルスのパルス持続期間Ｔmp（マークのマルチパルス持続期間≧４Ｔとも呼ばれる）。  
最も短いマークを書き込むための系列の最初のパルスのパルス持続期間Ｔ3。  
最も短い許容されるマークを表すデータパルスの最初のチャネルビットの立ち下がりエッジに関する、系列の最初のパルスの立ち上がり時間ｄＴ3（３Ｔマークのパルスの立ち上がり／遅延時間とも呼ばれる）。  
第二の最も短い許容されるマークを表すデータパルスの最初のチャネルビットの立ち下がりエッジに関する、系列の最初のパルスの立ち上がり時間ｄＴ4（４Ｔマークの最初のパルスの立ち上がり／遅延時間とも呼ばれる）。  
第三の最も短い許容されるマークを表すデータパルスの最初のチャネルビットの立ち下がりエッジに関する、系列の最初のパルスの立ち上がり時間ｄＴ5（５Ｔマークの最初のパルスの立ち上がり／遅延時間とも呼ばれる）。  
最も短い許容されるマークを表すデータパルスの最後のチャネルビットの立ち上がりエッジに関する、長さＮＴ（Ｎは奇数）のマークを書き込むための系列の最後のパルスの立ち上がり時間ｄＴlp,o（奇数マークの最後のパルスの立ち上がり／遅延時間とも呼ばれる）。  
データパルスの最後のチャネルビットの立ち下がりエッジに関する、長さＮＴ（Ｎは偶数）のマークを書き込むための系列に後続する消去パルスの消去立ち上がり時間ｄＴera,e（偶数マークの消去パルスの立ち上がり／遅延時間とも呼ばれる）。  
データパルスの最後のチャネルビットの立ち下がりエッジに関する、長さＮＴ（Ｎは奇数）のマークを書き込むための系列に後続する消去パルスの消去立ち上がり時間ｄＴera,o（奇数マークの消去パルスの立ち上がり／遅延時間とも呼ばれる）。  
データパルスの最後のチャネルビットの立ち下がりエッジに関する、最も短い許容されるマークを書き込むための系列に後続する消去パルスの消去立ち上がり時間ｄＴera,3（３Ｔマークの消去パルスの立ち上がり／遅延時間とも呼ばれる）。  
データパルスの最初のチャネルビットの立ち下がりエッジに関する、系列の最初のパルスの立ち上がり時間ｄＴtop（マークの最初のパルスの立ち上がり／遅延時間≧６Ｔ）。
【００２８】
図３は、高速ＤＶＤ＋／−ＲＷの２Ｔライトストラテジとして示される例における、提案されるライトストラテジの定義を示す。図１及び図２に於けるのと同様に、デジタルデータ信号１００は、図３ａに示されており、図３ｂ〜図３ｈは、３Ｔ，４Ｔ，５Ｔ，６Ｔ，７Ｔ，１０Ｔ及び１１Ｔマークを記録するための制御信号４００〜４０６を概念的に示す。８Ｔ及び９Ｔを記録するため、制御信号４０３及び４０４と同様であるが、４つのパルスをもつ制御信号が使用される。図２を参照して上述されたＤＶＤ＋ＲＷ規格に従って定義されるパラメータと比較して、以下の更なるパラメータは、本発明に従って定義される。
【００２９】
最も短い許容されるマークを表すデータパルスの最後のチャネルビットの立ち下がりエッジに関する、長さＮＴ（Ｎは奇数）のマークを書き込むための系列の最後のパルスの立ち下がり時間ｄＴmplp,o（奇数マークの最後のパルスの遅延時間とも呼ばれる）。  
データパルスの最後のチャネルビットの立ち下がりエッジに関する、長さＮＴ（Ｎは偶数）のマークを書き込むための系列の最後のパルスの立ち下がり時間ｄＴmplp,e（偶数マークの最後のパルスの遅延時間とも呼ばれる）。  
データパルスの最後のチャネルビットの立ち上がりエッジに関する、長さＮＴ（Ｎは偶数）のマークを書き込むための系列の最後のパルスの立ち上がり時間ｄＴlp,e（偶数マークの最後のパルスの立ち上がり時間）。
【００３０】
異なる規格の全てのライトストラテジは、以下の表に示される。
【００３１】
【表１】
2009514131.tif 000003
この表は、提案される新たなライトストラテジの後方互換をも示している。本発明によれば、ＤＶＤ＋ＲＷ及びＤＶＤ−ＲＷライトストラテジの定義の利点が組み合わされる。基本的に、パラメータｄＴmplp,o，ｄＴmplp,e及びｄＴlp,eは、ＤＶＤ＋ＲＷストラテジに追加される。パラメータｄＴmplp,o，ｄＴmplp,eを使用することで、４Ｔ，５Ｔ，６Ｔの偶数及び奇数マークの最後パルスの幅を調節することができる。パラメータｄＴlp,eは、４Ｔ及び偶数マークの最後のパルスの開始位置を調節するために使用される。
【００３２】
図４は、ディスク状の記録キャリア６０の情報レイヤ６０１にマークを記録するための、本発明に係る記録装置の実施の形態を示す。情報レイヤ６０１は、いわゆる相変化型の材料からなり、すなわち、結晶質相と非晶質相との間で可逆的に変化可能な相を有する。記録キャリアは、モータ６４によりその中心の周りで回転する。放射線ビーム６２は、たとえばレーザ光源といった放射線源６１により発生され、レンズ６３により情報レイヤ６０１にフォーカスされる。
【００３３】
放射線ビーム６２のパワーは、制御ユニット６５により供給される制御信号ＳCにより制御され、この場合、放射線ビーム６２のパワーは、制御信号ＳCの対応するレベルに比例することが想定される。本発明に従って提案される係る制御信号ＳCの例は、図３ａ〜図３ｄに示される。制御ユニット６５は、記録キャリア６０の情報レイヤ６０１に記録されるべきマークの長さを表すデジタルデータ信号ＳDを対応する制御信号ＳCに変換する。この変換は、本発明に係る２Ｔライトストラテジである、いわゆるライトストラテジに基づいている。かかるデジタルデータ信号ＳDの例は、図３ａで示される（データ信号１００）。
【００３４】
図４に示される記録装置の実施の形態では、読取ユニット６６は、記録キャリア６０から、提案される新たなライトストラテジで使用されるパラメータについて設定される値を読取るために設けられる。すなわち、記録キャリアは、そこに情報を記録したいときに、記録装置により使用される値を所定の位置に記憶する。これらのパラメータは、制御ユニット６５に入力され、この制御ユニットで、この値は設定され、対応する制御信号が発生される。
【００３５】
破線により示される代替的な実施の形態では、異なるタイプの記録キャリアの前記パラメータについて設定される値を記憶するストレージメモリ６７、及び、データが記録される記録キャリアのタイプを識別する識別ユニット６８が設けられる。読み取り手段６６は、特に記録キャリア６０に値が記憶されていない場合、前記ストレージメモリ６７から、提案される新たなライトストラテジで使用されるパラメータについて設定される値を読取る。
【００３６】
新たなライトストラテジの代わりに、公知のライトストラテジが使用される。公知の記録装置（すなわち公知のドライブ）では、ルックアップテーブルが設けられ、一組ディスクブランド、すなわち公知のディスクのライトストラテジが記憶される。そのうち、全てのタイプのディスクのためのルックアップテーブル（たとえば低速及び高速DVD+/−RW，CD-RW,  DVD+R,  DVD  Dual  Layer  Disc）が提供される。（ドライブのルックアップテーブルに挿入されない）「未知」ディスクがドライブに挿入されたとき、ライトストラテジがディスク自身から取得され（ＡＴＩＰ又はＡＤＩＰ情報）、ライトストラテジは、既知のライトストラテジの規格に従って使用される。たとえば、「未知」の８ｘＤＶＤ＋ＲＷディスクが挿入された場合、ライトストラテジは、“High  speed  DVD+ReWritable  part  1  Single  layer,  volume  2:8x,  volume2”スタンダードブックに従う。本発明に従って使用するために提案される余分のパラメータは、ファームウェアによりゼロに設定され、すなわち、これらのパラメータは、このケースでは使用されていない。したがって、本発明によれば、制御ユニット６５は、このケースでは、新たなライトストラテジを使用するが、使用されるライトストラテジで使用されないパラメータの値をゼロに設定する。
【００３７】
提案される新たなライトストラテジは、高速ＤＶＤ＋ＲＷ及びＤＶＤ−ＲＷ（≧３ｘ〜８ｘ）ディスクをサポートする新たなＤＶＤレコーダで利用される。両方のストラテジからの利点は、記録装置のファームウェアにおいて両方のライトストラテジを記憶する必要なしに結合される。しかし、本発明は、ＤＶＤにおける応用に限定されるものではなく、ハイパフォーマンスのＤＯＷの及びハイパフォーマンスのアーカイバルオーバライトを達成するため、請求項１で定義されるパラメータを使用するライトストラテジに適用することができる。
【図面の簡単な説明】
【００３８】
【図１】デジタルデータ信号の時間依存性、及び、高速ＤＶＤ−ＲＷ規格に従ってマークを記録するための放射線ビームのパワーを制御する制御信号の時間依存性に関する図である。
【図２】デジタルデータ信号の時間依存性、及び、高速ＤＶＤ−ＲＷ規格に従ってマークを記録するための放射線ビームのパワーを制御する制御信号の時間依存性に関する図である。
【図３】デジタルデータ信号の時間依存性、及び、本発明に係るマークを記録するための放射線ビームのパワーを制御する制御信号の時間依存性に関する図である。
【図４】本発明に係る記録装置のブロック図である。
【図１】
2009514131.tif 000004
【図２】
2009514131.tif 000005
【図３】
2009514131.tif 000006
【図４】
2009514131.tif 000007
【国際調査報告】
2009514131.tif 000008
2009514131.tif 000009
2009514131.tif 000010